(57)【要約】【課題】  長期間に亘って使用しても整地ロータの構成部材が摩耗しにくく、構成部材同士が重なり合って整地幅が短くなることを防止できる整地装置を提供する。【解決手段】  ロータ軸１を挿通するボス穴２、及びこのロータボス３を中心部に有したディスクプレート４の回転外周部に所定間隔毎に整地板５を配置し、整地板５は、ロータボス３の幅及びディスクプレート４の厚さよりも左右外側方向へ幅広く突出させて形成し、回転方向に対する裏面側で且つ横端位置に適宜厚さ分突出するリブ６を形成し、整地板５の左右方向幅の中央部をディスクプレート４の外周縁７に固着して単位整地ロータ８を構成し、単位整地ロータ８複数箇をロータ軸１の方向に沿って装着し、左右に相隣接する整地ロータ８を構成するロータ構成部材の相互間の整地板５の位相を前後にずらした形態で回転するよう軸装して構成する。【選択図】  図１
2013094100.tif 000002
【特許請求の範囲】
【請求項１】
ロータ軸（１）を挿通するボス穴（２）、及びこのロータボス（３）を中心部に有したディスクプレート（４）の回転外周部に所定間隔毎に整地板（５）を配置し、該整地板（５）は、前記ロータボス（３）の幅及びディスクプレート（４）の厚さよりも左右外側方向へ幅広く突出させて形成し、回転方向に対する裏面側で且つ横端位置に適宜厚さ分突出するリブ（６）を形成し、該整地板（５）の左右方向幅の中央部を前記ディスクプレート（４）の外周縁（７）に固着して単位整地ロータ（８）を構成し、該単位整地ロータ（８）複数箇を前記ロータ軸（１）の方向に沿って装着し、左右に相隣接する整地ロータ（８）を構成するロータ構成部材の相互間の整地板（５）の位相を前後にずらした形態で回転するよう軸装したことを特徴とする整地装置。
【請求項２】
前記整地板（５）は、左右幅方向の中央部の外縁を窪ませた湾曲縁（９）に形成し、この湾曲縁（９）部の裏面をディスクプレート（４）の外周縁（７）に一体に取付けることを特徴とする請求項１に記載の整地装置。
【請求項３】
前記整地板（５）の裏面に形成するリブ（６）を、該整地板（５）の左右幅方向に沿って中央のディスクプレート（４）部から横端部に亘って長く形成したことを特徴とする請求項１または２に記載の整地装置。
【請求項４】
前記整地板（５）の裏面に形成するリブ（６）は、回転方向に配置の一部の整地板（５）に形成したことを特徴と請求項１から３のいずれか１項に記載の整地装置。
【発明の詳細な説明】
【技術分野】
【０００１】
回転周面に整地板を有した複数箇の整地ロータをロータ軸方向に沿って並列軸装して、ロータ軸の回転によって整地ロータを回転させて土壌面を整地する整地装置に関し、苗移植機の苗植付土壌面を均平するフロートの前側に配置する場合等に使用される。
【背景技術】
【０００２】
左右横方向にロータ軸の周りに、一定幅の整地板を有した単位整地ロータを複数箇挿通させて一体回転させることにより、苗植装置のフロート前方の土壌面を整地均平する技術（例えば、特許文献１参照）が知られている。
【先行技術文献】
【特許文献】
【０００３】
【特許文献１】特開２０１１−００００４４号公報
【発明の概要】
【発明が解決しようとする課題】
【０００４】
前記のとおり苗植装置の前側に整地装置として使用する場合は、長期間に亘る使用により、駆動回転のロータ軸への各単位整地ロータの取付部が摩耗したり、セットピンが抜けたりして、ロータ軸に対して単位整地ロータが遊転状態となったり、軸方向へ移動することがある。
【０００５】
この単位整地ロータがロータ軸に対して遊転状態にあると、ロータ軸上に隣接配置の単位整地ロータの整地板相互が接触して一部重合して、整地幅域が狭くなったり、整地の行われない部分を生じて、均一な整地作用を行うことができない場合がある。
【課題を解決するための手段】
【０００６】
請求項１記載の発明は、ロータ軸（１）を挿通するボス穴（２）、及びこのロータボス（３）を中心部に有したディスクプレート（４）の回転外周部に所定間隔毎に整地板（５）を配置し、該整地板（５）は、前記ロータボス（３）の幅及びディスクプレート（４）の厚さよりも左右外側方向へ幅広く突出させて形成し、回転方向に対する裏面側で且つ横端位置に適宜厚さ分突出するリブ（６）を形成し、該整地板（５）の左右方向幅の中央部を前記ディスクプレート（４）の外周縁（７）に固着して単位整地ロータ（８）を構成し、該単位整地ロータ（８）複数箇を前記ロータ軸（１）の方向に沿って装着し、左右に相隣接する整地ロータ（８）を構成するロータ構成部材の相互間の整地板（５）の位相を前後にずらした形態で回転するよう軸装したことを特徴とする整地装置とした。
【０００７】
圃場の土壌面上に横向水平状態にしてロータ軸１を回転駆動させて、このロータ軸１に沿って軸装の各整地ロータ８の構成部材を一体的に回転して、土壌面の土塊を砕きながら均平な土壌面に整地する。長時間に亘る整地作業中に、一部の整地ロータ８の構成部材がロータボス３部の緩み等によって、ロータ軸１に沿って左右横方向へ移動したり、ロータ軸１回りに回動すると、隣接相互間の整地ロータ８の構成部材における整地板５相互が回転方向に重合するようになる。
【０００８】
この整地板５相互の重合部には、外周側に位置する整地板５の裏面（内側面）に形成のリブ６があって、整地板５相互間はこのリブ６を介して重合形態となり、整地板５相互間にリブ６による間隔部が形成される。
【０００９】
また、隣接相互の整地板５の回転位相が左右に重合した状態となって横移動接近するときは、整地板５の外側端が他方の整地板５のリブ６の外側端に接当して、整地板５相互の回転方向重合を防止して、整地幅域を広く維持する。
【００１０】
請求項２に記載の発明は、前記整地板（５）は、左右幅方向の中央部の外縁を窪ませた湾曲縁（９）に形成し、この湾曲縁（９）部の裏面をディスクプレート（４）の外周縁（７）に一体に取付けることを特徴とする請求項１に記載の整地装置とした。
【００１１】
ロータ軸１に沿って配置された複数の整地ロータ８の構成部材が、このロータ軸１周りに回転されることによって、各ロータの整地板５の回転外周部が土壌面を掻き均して整地作用が行われる。各整地板５は外縁の中央部を窪ませた湾曲縁９に形成しているため、この整地板５の左右外側の張出縁１０部で効果的に掻き寄せる土壌の一部をこの中央部の湾曲縁９部跡側へ逃すように泥抜きさせて、整地作用を円滑に行わせ、整地ロータとしての直進性を良くし安定させる。
【００１２】
各整地板５は前記湾曲縁９の裏面をディスクプレート４の外周縁７に一体的に固着して回転駆動するもので、比較的回転径に狭い部分を支持して駆動回転し、この湾曲縁９の左右両側部の張出縁１０部を左右対称状にして、左右バランス良く掻均作用力を働かせる。
【００１３】
請求項３に記載の発明は、前記整地板（５）の裏面に形成するリブ（６）を、該整地板（５）の左右幅方向に沿って中央のディスクプレート（４）部から横端部に亘って長く形成したことを特徴とする請求項１または２に記載の整地装置とした。
【００１４】
前記各整地板５は、左右横方向幅の中央部の裏面をディスクプレート４の外周縁７に支持固着させて、この整地板５をロータ軸１の回りに回転させて整地作用を行わせるもので、各整地板５の左右両側部の整地抵抗力を大きく受ける部分（張出縁１０部）は、ディスクプレート４に対して左右対称状に片持支持の形態に取付支持され、左右の整地抵抗をバランス良く受けて、しかも、整地板５の裏面には中央部ディスクプレート４から左右外側端部に亘るリブ６が形成されるため、整地板５を軽、薄に形成して、しかも整地抵抗による歪みを少くし、効率的な安定した整地作用を行うことができる。
【００１５】
請求項４に記載の発明は、前記整地板（５）の裏面に形成するリブ（６）は、回転方向に配置の一部の整地板（５）に形成したことを特徴と請求項１から３のいずれか１項に記載の整地装置とした。
【００１６】
前記のとおり、ディスクプレート４に対する取付部から左右両側方へ張出すように形成される整地板５は、これら左右両側方に張出す各整地板５の裏面にリブ６を形成することができるが、左右いずれかの側に張出す整地板５の裏面にのみリブ６を形成することもできる。
【００１７】
このとき、各隣接相互の整地ロータ８の構成部材相互間において、回転方向前後に位置する整地板５相互のうち、前位に位置する整地板５の裏面（回転方向に対して後側面側）にリブ６を突出させて形成する。
【００１８】
また、整地ロータ８の構成部材の整地板５は、ロータ軸１の周りに等配角毎に配置されて一体回転するものであるから、この整地板５裏面のリブ６は、回転方向側のいずれか一ケ所の整地板５においてのみリブ６が形成されておれば十分目的を果すことができるが、同一整地ロータ８の構成部材の各整地板５相互間においても、又、同位相位置の整地板５においても、回転方向前後の整地板５相互や、ディスクプレート４から左右へ張出す整地板５層後等においては、撓みや、捩れ等の大きい歪みを生じ易ものであるから、できるだけ多くの整地板５に、しかも、均等位相位置の整地板５にリブ６を形成することが好ましい。
【発明の効果】
【００１９】
請求項１に記載の発明は、前記整地ロータ８の構成部材の整地板５の裏面にリブ６を突出形成することにより、このロータ軸１方向に相互に隣接して軸装される整地ロータ８の構成部材が左右方向へ移動しようとしても、このリブ６が隣接ロータ８の整地板５等に当接して、整地ロータ８の構成部材の横移動を阻止し、ロータ軸１上における各整地ロータ８の構成部材による整地幅域を変更することなく、未整地土壌面を残すことなく、均一な整地作業を行うことができる。
【００２０】
また、整地板５の裏面にリブ６を突出形成するものであるから、構成が著しく簡潔なるため、コストを低減させることができる。
特に、ロータ軸１と各整地ロータ８の構成部材の間のロータボス３において、摩擦により各整地ロータ８の構成部材の位相位置がずれて左右方向へ移動し易くなるが、この移動は整地板５裏面のリブ６によって規制されるため、整地幅の変化が生じ難く、一定幅域で整地ロータ８が回転駆動することができ、整地直進性が安定する。
【００２１】
請求項２に記載の発明は、請求項１記載の発明の効果に加えて、ロータ軸１に配置の各整地ロータ８の構成部材の整地板５に、中央部の湾曲縁９と、この左右両側部の張出縁１０を形成したことにより、各整地板５によって整地作用する際に張出縁１０を深く土壌面に挿し込んで後側へ強く掻き回す泥土の一部を、この中央湾曲縁９による泥掻力の小さな部分に案内して後側へ逃がすことができる。このような整地板５は回転力により、整地土壌面との間に大きい整地抵抗を受けながら、土壌面上に浮上するように強く掻き蹴るため、撓みを生ずるが、この整地板５の裏面に形成のリブ６によって、整地板５の強度を補強して、整地板５の変形や、整地効果の低減を阻止し、整地直進性能及び耐久性を向上させることができるので、リブ形態によって構成を簡単、安価にすることができる。
【００２２】
請求項３に記載の発明は、請求項１または２記載の発明の効果に加えて、前記各整地ロータ８の構成部材の整地板５は、左右幅方向の中央部をディスクプレート４の外周縁７に固着させて左右両側方に張出形成の片持形態の支持取付形態あるが、整地板５の裏面には張出方向に沿うリブ条６が形成されるため、薄い整地板５の取付支持剛性を高めて、代作用を強めることができ、安定した整地を行わせることができる。
【００２３】
請求項４に記載の発明は、請求項１から３のいずれか１項に記載の発明の効果に加えて、各整地ロータ８の構成部材の全ての整地板５の裏面にリブ６を形成しなくても、一部の整地板５の裏面にのみリブ６を形成することによって、整地ロータ８の構成部材の相互間の移動を阻止することができ、この分だけ整地板５の構成を簡単化することができる。
【００２４】
また、このとき、多数の整地板５のうち一定位置の整地板５についてだけ間欠的にリブ６を形成して、整地抵抗をバランス良く受けるように構成して、整地性能、及び耐久性を高めることができる。
【図面の簡単な説明】
【００２５】
【図１】整地ロータの側面図
【図２】整地ロータの平面図
【図３】整地ロータの平断面図
【図４】苗移植機の側面図
【図５】苗移植機の平面図
【図６】整地装置部の別例の側面図
【発明を実施するための形態】
【００２６】
図面に基づいて、乗用四輪走行形態の車体１１の後部に、平行状のリフトリンク１２を介して苗植装置１３を装着し、この苗植装置１３の前側に整地装置を配置した形態としている。走行車体１１、及び苗植装置１３は既に公知の形態であるが、リヤフレーム１４の後側に連結されたリフトリンク１２がリフトシリンダ１５の伸縮によって昇降回動されると、このリフトリンク１２の後端に連結の苗植装置１３が昇降されて、底部に配置のセンタフロート１６、及びサイドフロート１７を土壌面から浮上させて非苗植姿勢の位置へ上昇させたり、これらの各フロート１６、１７を土壌面に接地滑走させて均平面に植付装置１８による苗植作用を行わせる形態としている。
【００２７】
該苗植装置１３は、苗植伝動ケースを主体とする苗移植機体１９の下側にセンタフロート１６と、この左右両側にサイドフロート１７を配置して苗植装置１３の重量を支持して土壌面を滑走する。このセンタフロート１６の向い角の変動によって前記リフトシリンダ１５の伸縮制御を行い、土壌面の深さを検出しながら苗植装置１３を昇降させて、苗植付装置１８による苗植付深さを一定に維持するように植付深さ制御を行う。
【００２８】
また、前記苗移植機体１９には、上部に多条植供給形態のマット苗を載せて繰出供給する苗タンク２０及びこの繰出ベルト２１を、左右横方向へ一苗タンク幅域分相当間隔に亘って往復移動駆動し、該苗タンク２０の後下端部に横方向に沿って設ける苗取口２２形成のガイド２３に、前記苗植付装置１８の植付爪２４を下動させて、この植付爪２４の楕円形状の植付軌跡線Ｄに沿う作動で、各苗タンク２０の苗取口２２から分離して保持した苗を前記各対応のフロート１６、１７によって均平した土壌面に植え付ける形態である。
【００２９】
前記走行車体１１は、中央部上にエンジン２５を搭載し、このエンジンカバー２６の上側に運転席２７を搭載し、この運転席２７の後側にはフロア２８の後端部に位置して施肥装置２９を搭載して、この繰出装置３０から繰出される肥料を施肥ホース３１を経て前記フロート１６、１７の作溝器３２部に施肥案内する形態である。
【００３０】
また、車体１１の前側のフロントボード３３上には前輪３４操向操作用のステアリングハンドル３５を有し、この横側にサイドフロア２８を介して左右外側部に複数段の苗載棚３６を支持する支持フレーム３７を設けている。又、車体１１の後輪３８は、リヤアクスルハウジジング３９の外側に軸装されて連動駆動されるが、このアクスルハウジング３９から取出軸４０を介して、後側の整地装置の各ロータ軸１…を伝動する。
【００３１】
前記整地装置は、車体１１の後側部で、前記苗植装置１３の各フロート１６、１７の前側位置に配置する。センタフロート１６の前側にはセンタロータ４１として構成し、左右の各サイドフロート１７の前側にサイドロータ４２として構成し、これら各センタロータ４１及びサイドロータ４２の間は伝動ケース４３で支持し、前記取出軸４０からの入力によって各センタロータ４１及びサイドロータ４２を連動回転して、各センタフロート１６及びサイドフロート１７の均平域土壌面を予め掻き均し整地する。
【００３２】
ここにおいて、この整地装置は、ロータ軸１を挿通するボス穴２、及びこのロータボス３を中心部に有したディスクプレート４の回転外周部に、一定回転角間隔位置毎に整地板５を配置し、この整地板５は、これらロータボス３部幅、及びディスクプレート４厚さよりも左右外側方向へ幅広く張出形成されて、回転方向に対する裏面側でかつ横端位置には適宜厚さに突出するリブ６を形成して、この整地板５の左右方向幅の中央部を前記ディスクプレート４の外周縁７に固着して整地ロータ８の構成部材を構成し、この整地ロータ８の構成部材複数個を前記ロータ軸１の方向に沿って嵌挿して、左右に相互に隣接する整地ロータ８の構成部材の相互間の整地板５の位相を前後にずらした形態で回転するように軸装する。
【００３３】
圃場の土壌面上に横向水平状態にしてロータ軸１を回転駆動させて、このロータ軸１に沿って軸装の各整地ロータ８の構成部材を一体的に回転して、土壌面の土塊を砕きながら均平な土壌面に整地する。長時間に亘る整地作業中に、一部の整地ロータ８の構成部材がロータボス３部の緩み等によって、ロータ軸１に沿って左右横方向へ移動したり、ロータ軸１回りに回動すると、隣接相互間の整地ロータ８の構成部材における整地板５相互が回転方向に重合するようになる。この整地板５相互の重合部には、外周側に位置する整地板５の裏面（内側面）に形成のリブ６があって、整地板５相互間はこのリブ６を介して重合形態となり、整地板５相互間にリブ６による間隔部が形成される。
【００３４】
また、隣接相互の整地板５の回転位相が左右に重合した状態となって横移動接近するときは、整地板５の外側端が他方の整地板５のリブ６の外側端に接当して、整地板５相互の回転方向重合を防止して、整地幅域を広く維持する。
【００３５】
また、前記整地板５は、左右幅方向の中央部の外縁を窪ませた湾曲縁９に形成し、この湾曲縁９部の裏面をディスクプレート４の外周縁７に一体に取付ける。
ロータ軸１に沿って配置された複数の整地ロータ８の構成部材が、このロータ軸１周りに回転されることによって、各ロータの整地板５の回転外周部が土壌面を掻き均して整地作用が行われる。各整地板５は外縁の中央部を窪ませた湾曲縁９に形成しているため、この整地板５の左右外側の張出縁１０部で効果的に掻き寄せる土壌の一部をこの中央部の湾曲縁９部跡側へ逃すように泥抜きさせて、整地作用を円滑に行わせ、整地ロータとしての直進性を良くし安定させる。各整地板５は前記湾曲縁９の裏面をディスクプレート４の外周縁７に一体的に固着して回転駆動するもので、比較的回転径に狭い部分を支持して駆動回転し、この湾曲縁９の左右両側部の張出縁１０部を左右対称状にして、左右バランス良く掻均作用力を働かせる。
【００３６】
また、前記整地板５の裏面に形成するリブ６を、この整地板５の左右幅方向に沿って中央のディスクプレート４部から横端部に亘って長く形成する。
前記各整地板５は、左右横方向幅の中央部の裏面をディスクプレート４の外周縁７に支持固着させて、この整地板５をロータ軸１の回りに回転させて整地作用を行わせるもので、各整地板５の左右両側部の整地抵抗力を大きく受ける部分（張出縁１０部）は、ディスクプレート４に対して左右対称状に片持支持の形態に取付支持され、左右の整地抵抗をバランス良く受けて、しかも、整地板５の裏面には中央部ディスクプレート４から左右外側端部に亘るリブ６が形成されるため、整地板５を軽、薄に形成して、しかも整地抵抗による歪みを少くし、効率的な安定した整地作用を行うことができる。
【００３７】
さらに、前記整地板５の裏面に形成するリブ６は、回転方向に配置の一部の整地板５に形成する。
前記のようにディスクプレート４に対する取付部から左右両側方へ張出すように形成される整地板５は、これら左右両側方に張出す各整地板５の裏面にリブ６を形成することができるが、左右いずれかの側に張出す整地板５の裏面にのみリブ６を形成することもできる。この場合は、各隣接相互の整地ロータ８の構成部材相互間において、回転方向前後に位置する整地板５相互のうち、前位に位置する整地板５の裏面（回転方向に対して後側面側）にリブ６を突出させて形成する。
【００３８】
又、整地ロータ８の構成部材の整地板５は、ロータ軸１の周りに等配角毎に配置されて一体回転するものであるから、この整地板５裏面のリブ６は、回転方向側のいずれか一ケ所の整地板５においてのみリブ６が形成されておれば十分目的を果すことができるが、同一整地ロータ８の構成部材の各整地板５相互間においても、又、同位相位置の整地板５においても、回転方向前後の整地板５相互や、ディスクプレート４から左右へ張出す整地板５層後等においては、撓みや、捩れ等の大きい歪みを生じ易ものであるから、できるだけ多くの整地板５に、しかも、均等位相位置の整地板５にリブ６を形成することが好ましい。
【００３９】
前記センタロータ４１、及びサイドロータ４２から構成される整地装置は、苗植装置１３前側に沿って構成される苗タンク２０を支持する支持フレーム４４の下端部に装着されて、この苗植装置１３の昇降に伴って、一体的に、又はこの苗植装置１３の昇降に追随する形態として昇降して、土壌面の深さ変化に拘らず土壌面を均平に掻き均する。前記各整地ロータ４１、４２は伝動ケース４３の前端部、及び後端部に横方向に亘って水平状に軸装のロータ軸１に沿って、前記整地ロータ８の構成部材を複数個毎配置して、このロータ軸１を回転することにより各整地ロータ８の構成部材を一体的に回転して、整地板５によって土壌面を掻き均するものである。
【００４０】
整地ロータ８の構成部材は、ディスクプイレート４の回転中心部に角ボス穴２を有するロータボス３を有し、このロータボス３の一側部には前記ロータ軸１のピン穴５０に亘ってセットピン５１を挿通するピン穴５２を形成している。各整地板５は前記ディスクプレート４の厚さ、及びロータボス３の軸方向幅よりも大きく左右外方へ張出す形態で、この整地板５の幅の略中央部裏面を、ディスクプレート４の外周縁７に接着して一体的に回転することができる。各整地板５は、各回転方に対して前端縁を回転内部側に位置させると共に、後端縁を回転外部側に位置させ、適宜の向い角Ａを有して回転するように構成され、この向い角Ａの状態で土壌面下へ掻き込みながら、土壌面を掻き均すものである。
【００４１】
前記の整地ロータ８の構成部材は、ディスクプレート４の外周部に６０度間隔毎に配設して、６枚の整地板５を形成する。そして、この整地ロータ８を同一ロータ軸１上に嵌挿して軸装配置する場合は、隣接の整地ロータ８の構成部材相互間の整地板５の位相位置を３０度ずらせた位置に設定し、回転方向前後に位置する整地板５の側端部間に、隣接の整地板５の先端部が位置して配置されるように軸装することができる。
【００４２】
このとき、前記ロータボス３に形成されるボス穴２の形状によって、六角嵌合の形態では、単に同一形態の整地ロータ８の構成部材の軸装位相位置を３０度位置ずらせることによって行うことができるが、図示のように六枚板の整地板５配置の四角穴嵌合ボスの形態である場合は、同一位相形態の整地ロータ８の構成部材を９０度位置ずらせて軸装することによって左右交互の配置形態となる。
【００４３】
前記車体１１前部に配置の苗載棚３６は、車体１１フレームブラケット６１上に、鉛直方向の支軸６２周りに水平面上を回動可能に支持構成し、この苗載棚３６を支持する支持フレーム３７に取付ける電動モータ６３によって、平面方向の向きを回動することができる。この苗載棚３６の回動位置を制御するポテンショメータ６４が、前記フレームブラケット６１と支軸６２との間に設けられている。
【００４４】
また、前記支持フレーム３７上の苗載棚３６は、上下三段に構成されていて、中段の苗載棚３６を定位置として、上段と下段の苗載棚３６が平行状の支持ロリンク６５を介して前後シーソ状に回動して、上段、下段の苗載棚３６を前後上下に移動して、中段の苗載棚３６の前端、後端に引出移動して前後水平状に連接させることができる形態としている。
【００４５】
前記支持フレーム３７を手動操作回動したり、上段または下段の苗載棚３６を上下動操作しながら、前後方向へ引き出しすることができるが、これらの操作をスイッチ６６の操作による電動モータ６３によって作動させるときは、前記支持フレーム３７の向きが、前後方向に向いていることをポテンショメータ６４が検出しているときにのみ、モータ６３による苗載棚３６の前後移動の行わせることが可能に構成したものである。
【００４６】
また、この上段、下段部の苗載棚３６が前後に引出移動しているときは、これを検出してモータ６３による支持フレーム３７の旋回駆動を牽制するように構成することもできる。このようにして、苗載棚３６の旋回によってハンドル３５やフロントボード３３等に衝突するのを防止する。
【００４７】
図６において、前記整地装置は、苗植装置１３の前側の支持フレーム４４に対して、上下一対のリンクアーム４５、４６と、この前端部間を連結するロータフレーム４７を設け、更には、このリンクアーム４５の前端に伝動ケース４３の前端部をダンパスプリング４８を介して支持する構成とし、前記伝動ケース４３上に設ける電動モータ４９のスイッチ操作によって、レバー５５、ワイヤー５６等を介して前記リンクアーム４５を上下に回動して、この整地ロータの伝動ケース４３を昇降するように構成し、運転席２７からの手動操作スイッチによって整地装置の整地高さ位置を調整したり、整地位置へ下降したり、非整地位置へ上昇させたりすることができる。
【００４８】
前記ワイヤー５６はリンクアーム４５の支持フレーム４４に対する枢支部５７の後端側に連結し、ダンパスプリング４８はこのリンクアーム４５のロータフレーム４７に対する枢着部５８よりも前側に連結している。
【００４９】
レバー５５を前側へ回動するとワイヤー５６を介してリンクアーム４５を枢支部５７周りに回動して、ロータフレーム４７、及びダンパスプリング４８等を介して伝動ケース４３を上昇させ、このレバー５５を後側へ戻すと伝動ケース４３は下降される。
【符号の説明】
【００５０】
１    ロータ軸
２    ボス穴
３    ロータボス
４    ディスクプレート
５    整地板
６    リブ
７    外周縁
８    単位整地ロータ
９    湾曲縁
１０    張出縁
【図１】
2013094100.tif 000003
【図２】
2013094100.tif 000004
【図３】
2013094100.tif 000005
【図４】
2013094100.tif 000006
【図５】
2013094100.tif 000007
【図６】
2013094100.tif 000008